(57)【要約】【課題】例えば中間マーカ等のマーカを利用して、記録済みのユーザデータの終端部を好適に認識する。【解決手段】情報記録装置（２００）は、情報記録媒体（１００）が備えるユーザデータエリア（１０５、１１５）にユーザデータを記録する第１記録手段（３５３）と、記録済みのユーザデータの終端部に続けてマーカを記録する第２記録手段（３５３）と、情報記録媒体に対してフォーマット処理を施すフォーマット手段（３５４）と、フォーマット処理が施される場合に、フォーマット処理が施される前に第２記録手段により記録されたマーカを消去する消去手段（３５４）とを備える。【選択図】図１０
2007193881.tif 000002
【特許請求の範囲】
【請求項１】
情報記録媒体が備えるユーザデータエリアにユーザデータを記録する第１記録手段と、
記録済みの前記ユーザデータの終端部に続けて、記録済みの前記ユーザデータの終端部であることを示すマーカを記録する第２記録手段と、
前記情報記録媒体に対してフォーマット処理を施すフォーマット手段と、
前記フォーマット処理が施される場合に、前記フォーマット処理が施される前に前記第２記録手段により記録された前記マーカを消去する消去手段と
を備えることを特徴とする情報記録装置。
【請求項２】
前記消去手段は、前記ユーザデータが記録されていることを示すデータエリア属性が付与されたデータを前記マーカに上書きすることで、前記マーカを消去することを特徴とする請求項１に記載の情報記録装置。
【請求項３】
前記消去手段は、前記ユーザデータを前記マーカに上書きするように、前記第１記録手段を制御することを特徴とする請求項１又は２に記載の情報記録装置。
【請求項４】
前記フォーマット手段は、少なくとも前記情報記録媒体上に記録された前記ユーザデータを少なくとも論理的に消去し、且つ指定されたフォーマットサイズに応じた新たな前記ユーザデータ及び該ユーザデータに続けて前記マーカを記録するクイックフォーマット処理を、前記フォーマット処理として施すことを特徴とする請求項１から３のいずれか一項に記載の情報記録装置。
【請求項５】
前記情報記録媒体は、夫々が前記ユーザデータエリアを備える第１記録層及び第２記録層を備えることを特徴とする請求項１から４のいずれか一項に記載の情報記録装置。
【請求項６】
情報記録媒体が備えるユーザデータエリアにユーザデータを記録する第１記録工程と、
記録済みの前記ユーザデータの終端部に続けて、記録済みの前記ユーザデータの終端部であることを示すマーカを記録する第２記録工程と、
前記情報記録媒体に対してフォーマット処理を施すフォーマット工程と、
前記フォーマット処理が施される場合に、前記フォーマット処理が施される前に前記第２記録工程において記録された前記マーカを消去する消去工程と
を備えることを特徴とする情報記録方法。
【請求項７】
請求項１から５のいずれか一項に記載の情報記録装置に備えられたコンピュータを制御する記録制御用のコンピュータプログラムであって、該コンピュータを、前記第１記録手段、前記第２記録手段、前記フォーマット手段及び前記消去手段のうち少なくとも一部として機能させることを特徴とするコンピュータプログラム。
【発明の詳細な説明】
【技術分野】
【０００１】
本発明は、例えばＤＶＤレコーダ等の情報記録装置及び方法、並びにコンピュータをこのような情報記録装置として機能させるコンピュータプログラムの技術分野に関する。
【背景技術】
【０００２】
例えば、ＤＶＤ−ＲＯＭ（ＤＶＤ−Read Only Memory）、ＤＶＤ−Ｒ（ＤＶＤ−Recordable）、ＢＤ−ＲＯＭ（Blu-ray Disc−ＲＯＭ）等の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクのうち２層型のＤＶＤ−Ｒに記録を行う場合は、ＤＶＤレコーダ等の情報記録装置は、レーザ光の照射側から見て最も手前側（即ち、光ピックアップに近い側）に位置する記録層（本願では適宜「Ｌ０層」と称する）に対して記録用のレーザ光を集光することで、Ｌ０層に対してデータを熱変化記録方式（言い換えれば、非可逆記録方式）で記録し、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対してデータを熱変化記録方式で記録することになる。
【０００３】
【特許文献１】特開２０００−３１１３４６号公報
【特許文献２】特開２００１−２３２３７号公報
【発明の開示】
【発明が解決しようとする課題】
【０００４】
ＤＶＤやＣＤでは、ＲＯＭディスクとＲ／ＲＷディスクとで異なるトラッキング方式を用いる。したがって、再生専用機では通常ＤＶＤ−ＲやＤＶＤ−ＲＷディスク等の未記録部分に正しくアクセスすることはできない。一方、データが記録済みの部分に関しては、ＲＯＭと互換性のある信号が記録されるので再生専用機でも正しく再生することが可能になる。１層型の光ディスクにおいては、再生専用機で再生可能なようにするために例えばリードインエリア、ユーザデータエリア及びリードアウトエリアの連続領域を記録してＲＯＭディスクと同様の構成にする。なお、リードインエリア及びリードアウトエリアはピックアップが内周、もしくは外周の未記録部に飛び出すのを防ぐ緩衝領域としての役割をもっている。
【０００５】
一方、２層型の光ディスクにおいては、再生専用機で再生可能なようにディスクを構成するためには、２層のＲＯＭディスクと基本的に同様な構成をとる必要がある。すなわち、最内周のＬ０層にはリードインエリアを、最内周のＬ１層にはリードアウトエリアを記録し、記録されたデータの最外周部には、Ｌ０、Ｌ１層共に上下対称となるようにミドルエリアと等価な構造が記録される必要がある。リードインエリアとミドルエリアとに挟まれた領域及びリードアウトエリアとミドルエリアとに挟まれた領域にはユーザデータが記録されるが、該領域にユーザデータが未記録な部分が残らないように構成する必要がある。すなわち、データが既に記録されたＬ０層の領域と対称な場所にあるＬ１層も記録済みとする必要がある。
【０００６】
ＤＶＤ−ＲやＣＤ−Ｒでは、データ記録中はリードインエリア及びリードアウトエリアを記録せずに記録を行い、ユーザの指示により再生機との互換が必要になった場合にファイナライズ処理を行い、リードインエリア及びリードアウトエリア等を記録しＲＯＭディスクと互換がある状態にする。一方、書き換え可能なＤＶＤ−ＲＷでは、最初からＲＯＭディスクと同様の構造を生成するフォーマット処理（通常フォーマット）に加えて、必要最小限の管理情報のみを記録して記録を開始するためのクイックフォーマット処理が定義されている。クイックフォーマット処理されたディスクは、未記録部分に対してはＤＶＤ−Ｒと同様に記録部後端部から追記を行う必要がある。また、記録中はリードインエリア及びリードアウトエリア等は完全な形で記録されていないためＤＶＤ−Ｒと同様にファイナライズ処理（または互換クローズ処理）を行うことにより、再生専用機で再生可能にする必要がある。
【０００７】
ここで、ユーザデータを記録する際には、該記録されたユーザデータの終端部に続けて、リードアウトエリア属性を有する中間マーカ（Intermediate Marker）を記録することが定められている。更に、クイックフォーマット処理を行う際にも、指定されたフォーマットサイズのユーザデータを記録した後に、該記録されたユーザデータの終端部に続けて、中間マーカを記録することが定められている。中間マーカは、記録されたユーザデータの終端部を検出するために用いられる。具体的には、レーザ光を照射しながら中間マーカ付近をシークすれば、中間マーカと既に記録されているユーザデータとの境界を好適に認識することができる。特に、記録されたユーザデータの終端部のアドレスが記録されているＲＭＤ（Recording Management Data：記録管理データ）がディフェクト等に起因して読み取ることができなかった場合に、中間マーカを利用して、ＲＭＤの内容を復旧することができる。
【０００８】
しかしながら、クイックフォーマット処理を複数回行うと、クイックフォーマット処理が行われるまでに記録されていた中間マーカとクイックフォーマット処理により新たに記録される中間マーカとが、情報記録媒体上に存在することになる。つまり、情報記録媒体上に複数の中間マーカが存在することになる。この場合、上述の如く中間マーカと既に記録されているユーザデータとの境界を認識することができたとしても、そこが本当に記録されているユーザデータの終端部であるか否かを判断することは困難又は不可能になる。
【０００９】
本発明は、例えば上述した従来の問題点に鑑みなされたものであり、例えば中間マーカ等のマーカを利用して、記録済みのユーザデータの終端部を好適に認識することを可能とならしめる情報記録装置及び方法、並びにコンピュータをこのような情報記録装置として機能させるコンピュータプログラムを提供することを課題とする。
【課題を解決するための手段】
【００１０】
上記課題を解決するために、請求項１に記載の情報記録装置は、情報記録媒体が備えるユーザデータエリアにユーザデータを記録する第１記録手段と、記録済みの前記ユーザデータの終端部に続けて、記録済みの前記ユーザデータの終端部であることを示すマーカを記録する第２記録手段と、前記情報記録媒体に対してフォーマット処理を施すフォーマット手段と、前記フォーマット処理が施される場合に、前記フォーマット処理が施される前に前記第２記録手段により記録された前記マーカを消去する消去手段とを備える。
【００１１】
上記課題を解決するために、請求項６に記載の情報記録方法は、情報記録媒体が備えるユーザデータエリアにユーザデータを記録する第１記録工程と、記録済みの前記ユーザデータの終端部に続けて、記録済みの前記ユーザデータの終端部であることを示すマーカを記録する第２記録工程と、前記情報記録媒体に対してフォーマット処理を施すフォーマット工程と、前記フォーマット処理が施される場合に、前記フォーマット処理が施される前に前記第２記録工程において記録された前記マーカを消去する消去工程とを備える。
【００１２】
上記課題を解決するために、請求項７に記載のコンピュータプログラムは、請求項１から５のいずれか一項に記載の情報記録装置に備えられたコンピュータを制御する記録制御用のコンピュータプログラムであって、該コンピュータを、前記第１記録手段、前記第２記録手段、前記フォーマット手段及び前記消去手段のうち少なくとも一部として機能させる。
【００１３】
本発明の作用及び他の利得は次に説明する実施の形態から明らかにされよう。
【発明を実施するための最良の形態】
【００１４】
以下、発明を実施するための最良の形態として、本発明の情報記録装置及び方法、並びにコンピュータプログラムに係る実施形態の説明を進める。
【００１５】
（情報記録装置の実施形態）
本発明の情報記録媒体に係る実施形態は、情報記録媒体が備えるユーザデータエリアにユーザデータを記録する第１記録手段と、記録済みの前記ユーザデータの終端部に続けて、記録済みの前記ユーザデータの終端部であることを示すマーカを記録する第２記録手段と、前記情報記録媒体に対してフォーマット処理を施すフォーマット手段と、前記フォーマット処理が施される場合に、前記フォーマット処理が施される前に前記第２記録手段により記録された前記マーカを消去する消去手段とを備える。
【００１６】
本発明の情報記録装置に係る実施形態によれば、第１記録手段の動作により、情報記録媒体上に備えられているユーザデータエリアに、例えば映像情報や音声情報等を含むユーザデータを記録することができる。このとき、第２記録手段の動作により、既に記録済みのユーザデータの終端部（言い換えれば、既にユーザデータが記録されたエリア部分の終端部であって、次にユーザデータの記録開始するべきエリア部分）には、そこが終端部であることを示すためのマーカが記録される。
【００１７】
更に、フォーマット手段の動作により、情報記録媒体に対してフォーマット処理が行われる。フォーマット処理が施されることで、例えばユーザデータエリアに記録されたユーザデータは、その全部が又は一部が例えば論理的に消去され、例えばユーザデータエリアに新たなユーザデータを記録することができる。或いは、ファイナライズ処理（或いは、クローズ処理）が施されることにより再生専用型の情報記録媒体との互換性を確保した情報記録媒体に対してフォーマット処理が施されることで、再度ユーザデータエリアにユーザデータを記録する（或いは、追記する）ことができる。
【００１８】
本実施形態では特に、フォーマット手段によるフォーマット処理が施される際には、消去手段の動作により、フォーマット処理が施される前に第２記録手段により記録されたマーカが消去される。具体的には、フォーマット処理が施される前に有効に利用されていたマーカが消去される。
【００１９】
このため、情報記録媒体には、フォーマット処理が施された後に新たに記録されるユーザデータを対象としたマーカが記録される。つまり、フォーマット処理が施される前に記録されていた古い（或いは、フォーマット処理後には無効となる）マーカと、フォーマット処理が施された後に記録される最新のマーカとが並存することはない。このため、本実施形態に係る情報記録装置は、情報記録媒体上に記録されているマーカが古いマーカではない（つまり、最新のマーカである）ことを好適に認識することができる。従って、第２記録手段により記録されるマーカは、記録済みのユーザデータの終端部を好適に示すことができる。これにより、例えば中間マーカ等のマーカを利用して、記録済みのユーザデータの終端部を好適に認識することができる。
【００２０】
本発明の情報記録装置に係る実施形態の一の態様は、前記消去手段は、前記ユーザデータが記録されていることを示すデータエリア属性が付与されたデータを前記マーカに上書きすることで、前記マーカを消去する。
【００２１】
この態様によれば、マーカを好適に消去することができる。
【００２２】
本発明の情報記録装置に係る実施形態の他の態様は、前記消去手段は、前記ユーザデータを前記マーカに上書きするように、前記第１記録手段を制御する。
【００２３】
この態様によれば、マーカを好適に消去することができる。
【００２４】
本発明の情報記録装置に係る実施形態の他の態様は、前記フォーマット手段は、少なくとも前記情報記録媒体上に記録された前記ユーザデータを少なくとも論理的に消去し、且つ指定されたフォーマットサイズに応じた新たな前記ユーザデータ及び該ユーザデータに続けて前記マーカを記録するクイックフォーマット処理を、前記フォーマット処理として施す。
【００２５】
この態様によれば、フォーマット処理としてのクイックフォーマット処理により新たなマーカが記録されたとしても、上述の如く消去手段により古いマーカが消去されるため、上述した各種利益を好適に享受することができる。尚、クイックフォーマット処理では、ユーザデータエリアに記録されていたユーザデータが、該ユーザデータの記録を管理するための管理情報等を消去することにより、少なくとも論理的に消去されればよい。もちろん、例えばユーザデータエリアに記録されていたユーザデータにｎｕｌｌデータ等を上書きすることにより、ユーザデータエリアに記録されていたユーザデータが、物理的に消去されてもよい。
【００２６】
本発明の情報記録装置に係る実施形態の他の態様は、前記情報記録媒体は、夫々が前記ユーザデータエリアを備える第１記録層及び第２記録層を備える。
【００２７】
この態様によれば、複数の記録層を備える情報記録媒体に対してユーザデータ等を記録する場合であっても、上述した各種利益を享受することができる。
【００２８】
（情報記録方法の実施形態）
本発明の情報記録方法に係る実施形態は、情報記録媒体が備えるユーザデータエリアにユーザデータを記録する第１記録工程と、記録済みの前記ユーザデータの終端部に続けて、記録済みの前記ユーザデータの終端部であることを示すマーカを記録する第２記録工程と、前記情報記録媒体に対してフォーマット処理を施すフォーマット工程と、前記フォーマット処理が施される場合に、前記フォーマット処理が施される前に前記第２記録工程において記録された前記マーカを消去する消去工程とを備える。
【００２９】
本発明の情報記録方法に係る実施形態によれば、上述した本発明の情報記録装置に係る実施形態が有する各種利益と同様の利益を享受することができる。
【００３０】
尚、上述した本発明の情報記録装置に係る実施形態における各種態様に対応して、本発明の情報記録方法に係る実施形態も各種態様を採ることが可能である。
【００３１】
（コンピュータプログラムの実施形態）
本発明のコンピュータプログラムに係る実施形態は、上述した本発明の情報記録装置に係る実施形態（但し、各種態様を含む）に備えられたコンピュータを制御する記録制御用のコンピュータプログラムであって、該コンピュータを、前記第１記録手段、前記第２記録手段、前記フォーマット手段及び前記消去手段のうち少なくとも一部として機能させる。
【００３２】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。
【００３３】
尚、上述した本発明の情報記録装置に係る実施形態における各種態様に対応して、本発明のコンピュータプログラムに係る実施形態も各種態様を採ることが可能である。
【００３４】
本実施形態のこのような作用及び他の利得は次に説明する実施例から更に明らかにされよう。
【００３５】
以上説明したように、本発明の情報記録装置に係る実施形態によれば、第１記録手段と、第２記録手段と、フォーマット手段と、消去手段とを備える。本発明の情報記録方法に係る実施形態によれば、第１記録工程と、第２記録工程と、フォーマット工程と、消去工程とを備える。本発明のコンピュータプログラムに係る実施形態によれば、コンピュータを第１記録手段、第２記録手段、フォーマット手段及び消去手段の少なくとも一部として機能させる。従って、例えば中間マーカ等のマーカを利用して、記録済みのユーザデータの終端部を好適に認識することができる。
【実施例】
【００３６】
以下、本発明の実施例を図面に基づいて説明する。
【００３７】
（情報記録媒体）
初めに、図１を参照して、本発明の情報記録装置に係る実施例によりデータが記録される光ディスク１００について説明を進める。ここに、図１（ａ）は、本実施例に係る光ディスク１００の基本構造を示した概略平面図であり、図１（ｂ）は、該光ディスク１００の概略断面図と、これに対応付けられた、その半径方向における記録領域構造の図式的概念図である。
【００３８】
図１（ａ）及び図１（ｂ）に示されるように、光ディスク１００は、例えば、ＤＶＤと同じく直径１２ｃｍ程度のディスク本体上の記録面に、センターホール１０１を中心として、リードインエリア（Lead-In Area）１０２又はリードアウトエリア（Lead-Out Area）１１８、データエリア１０５及び１１５、固定ミドルエリア（Fixed Middle Area）１０９及び１１９が設けられている。そして、光ディスク１００は、透明基板１１０上に記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なデータ管理単位である。
【００３９】
尚、本発明は、このような三つのエリアを有する光ディスクには特に限定されない。例えば、リードインエリア１０２、リードアウトエリア１１８又は固定ミドルエリア１０９（１１９）が存在せずとも、以下に説明するデータ構造等の構築は可能である。また、リードインエリア１０２、リードアウトエリア１１８又は固定ミドルエリア１０９（１１９）は更に細分化された構成であってもよい。
【００４０】
特に、本実施例に係る光ディスク１００は、図１（ｂ）に示されるように、例えば、透明基板１１０に、本発明に係る第１及び第２記録層の一例を構成するＬ０層及びＬ１層が積層された構造をしている。このような２層型の光ディスク１００の記録再生時には、図１（ｂ）中、下側から上側に向かって照射されるレーザ光ＬＢの集光位置をいずれの記録層に合わせるかに応じて、Ｌ０層におけるデータの記録再生が行なわれるか又はＬ１層におけるユーザデータ等の各種データの記録再生が行われる。特に、Ｌ０層においては内周側から外周側に向かって各種データが記録され、他方Ｌ１層においては外周側から内周側に向かって各種データが記録される。即ち、本実施例に係る光ディスク１００は、オポジットトラックパス方式の光ディスクに相当する。但し、パラレルトラックパス方式の光ディスクであっても、以下に説明する構成を採用することで、以下に述べる各種利益を享受することができる。
【００４１】
そして、本実施例に係る光ディスク１００においては、Ｌ０層とＬ１層の夫々に交互にデータを記録するレイヤージャンプ記録が採用されている。レイヤージャンプ記録について具体的に説明すると、Ｌ０層のデータエリア１０５の一部の記録領域にユーザデータを記録した後、該Ｌ０層の一部の記録領域に対向するＬ１層のデータエリア１１５の一部の記録領域にユーザデータを記録する。その後、Ｌ０層のデータエリア１０５の他の一部の記録領域にユーザデータを記録した後、該Ｌ０層の他の一部の記録領域に対向するＬ１層のデータエリア１１５の他の一部の記録領域にデータを記録する。以降は、この動作が繰り返される。
【００４２】
尚、本実施例に係る光ディスク１００へのユーザデータの記録の手法は、レイヤージャンプ記録に限定されない。例えば、Ｌ０層のデータエリア１０５の全体にユーザデータを記録した後に、Ｌ１層のデータエリア１１５の全体にユーザデータを記録するように構成してもよい。
【００４３】
また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。
【００４４】
尚、固定ミドルエリア１０９（１１９）は、データエリア１０５（１１５）の全体にデータが記録された後に、例えばＤＶＤ−ＲＯＭ等の再生専用の光ディスクと本実施例に係る光ディスク１００との互換性を図るために形成される。つまり、２層型の再生専用の光ディスク上のエリア構造と、本実施例に係る光ディスク１００上のエリア構造とを、同様にするために、固定ミドルエリア１０９（１１９）が形成される。加えて、固定ミドルエリア１０９（１１９）は、データエリア１０５（１１５）の全体にユーザデータが記録された後に、記録層を変更するためのレイヤージャンプを行う際の或いは固定ミドルエリア１０９（１１９）付近へアクセスする際の、光ピックアップの未記録エリア（具体的には、ミドルエリア１０９（１１９）の外周側）への飛び出しを防止するための機能を有する。データエリア１０５（１１５）の一部にしかユーザデータが記録されていない場合には、固定ミドルエリア１０９（１１５）に代えて、シフテッドミドルエリア（shifted Middle Area）１０６（１１６）が用いられる。
【００４５】
ここで、図２を参照して、シフテッドミドルエリア１０６（１１６）について説明する。ここに、図２は、該光ディスク１００の概略断面図と、これに対応付けられた、その半径方向における記録領域構造の図式的概念図である。
【００４６】
図２に示すように、シフテッドミドルエリア１０６は、データエリア１０５の一部に記録されたユーザデータに続けてデータエリア１０５内に設けられる。同様に、シフテッドミドルエリア１１６は、データエリア１１５の一部に記録されたユーザデータに続けてデータエリア１１５内に設けられる。
【００４７】
シフテッドミドルエリア１０６（１１６）が設けられることで、データエリア１０５（１１５）の一部にしかユーザデータが記録されていない場合であっても、ＤＶＤ−ＲＯＭ等の再生専用の光ディスクと本実施例に係る光ディスク１００との互換性を図ることができる。加えて、レイヤージャンプを行う際の光ピックアップの、未記録エリアへの飛び出しを防止することができる。また、レイヤージャンプを行わない場合であっても、光ピックアップの、シフテッドミドルエリア１０６（１１６）よりも外周側の未記録エリアへの飛び出しを防止することができる。このため、再生専用型の情報再生装置は、当該光ディスク１００に記録されたデータを再生することができる。
【００４８】
つまり、シフテッドミドルエリア１０６（１１６）は、データエリア１０５（１１５）の一部にしかユーザデータが記録されていない場合における、光ピックアップの飛び出しを防止する機能と、再生専用型の光ディスクとの互換性を保つ機能との双方を有している。特に、レイヤージャンプ記録を行う場合には、データエリア１０５（１１５）の一部にしかデータが記録されないことが多々生じ得る。従って、シフテッドミドルエリア１０６（１１６）は、レイヤージャンプ記録を行う際に特に有効に用いられる。
【００４９】
他方で、固定ミドルエリア１０９（１１９）は、データエリア１０５（１１５）の全体にユーザデータが記録された場合における、光ピックアップの飛び出しを防止する機能と、再生専用型の光ディスクとの互換性を保つ機能との双方を有している。
【００５０】
リードインエリア１０２や、リードアウトエリア１１８や、固定ミドルエリア１０９（１１９）や、シフテッドミドルエリア１０６（１１６）には、光ディスク１００に対して通常フォーマット処理が施されることで、所定のデータ（例えば、各種制御データや、“００ｈ”等のパディングデータ等）が記録される。更には、光ディスク１００には、通常フォーマット処理に加えて、必要最小限の管理情報のみを記録してからユーザデータの記録を開始するためのクイックフォーマット処理も施される。
【００５１】
ここで、図３及び図４を参照して、通常フォーマット処理及びクイックフォーマット処理について具体的に説明する。ここに、図３は、通常フォーマット処理が施された後の光ディスク１００のデータ構造を概念的に示す説明図（図３（ａ））、及びクイックフォーマット処理が施された後の光ディスク１００のデータ構造を概念的に示す説明図（図３（ｂ））であり、図４は、光ディスク１００の状態の遷移を概念的に示す図である。
【００５２】
図３（ａ）に示すように、通常フォーマット処理が施される場合、リードインエリア１０２にリードインエリア属性を付与しながら所定のデータを記録し、リードアウトエリア１１８にリードアウト属性を付与しながら所定のデータを記録する。
【００５３】
また、データエリア１０５に記録されたユーザデータに続く記録領域に、ミドルエリア属性を付与しながら所定のデータを記録することで、シフテッドミドルエリア１０６が形成される。同様に、データエリア１１５に記録されたユーザデータに続く記録領域に、ミドルエリア属性を付与しながら所定のデータを記録することで、シフテッドミドルエリア１１６が形成される。或いは、後述のホストコンピュータ等から要求されたフォーマットサイズに応じて、データエリア１０５（１１５）にデータエリア属性を付与しながら所定のユーザデータを記録し、該記録されたデータに続いて、シフテッドミドルエリア１０６（１１６）を形成するように構成してもよい。
【００５４】
このように通常フォーマット処理を施すことで、光ディスク１００上のエリア構成と、再生専用型の光ディスク上のエリア構成とを、概ね同一にすることができる。図３（ａ）に示す光ディスク１００の状態を、“コンプリート状態”と称する。
【００５５】
他方、図３（ｂ）に示すように、本発明における「フォーマット処理」の一具体例を構成するクイックフォーマット処理が施される場合、リードインエリア１０２には、必要最小限のデータ（具体的には、光ディスク１００の一具体例であるＤＶＤ−ＲＷの場合、RW-Physical format information及び該RW-Physical format informationよりも外周側に記録されるべきデータ）が、データエリア属性を付与しながら記録される。この動作は、リードインエリア１０２に記録されている各種管理データを消去する或いは上書きすることで、データエリア１０５（１１５）に記録されていたユーザデータを論理的に消去することに相当する。また、後述のホストコンピュータ等から要求されたフォーマットサイズに応じて、データエリア１０５（或いは、１１５）に、データエリア属性を付与しながら必要に応じて所定のユーザデータを記録する。記録されたユーザデータに続いて、本発明における「マーカ」の一具体例を構成する中間マーカ（Intermediate Marker）１０８が形成される。中間マーカ１０８は、３２ＥＣＣブロックのサイズを有しており、記録済みのユーザデータの終端部（具体的には、ユーザデータが記録されたエリア部分の終端部であって、Ｌ０層においては外周側の端部であり、Ｌ１層においては内周側の端部）に続けて記録される。従って、クイックフォーマット処理が施された後に、ユーザの指示によりデータエリア１０５（１１５）にユーザデータが記録される場合は、中間マーカ１０８が記録されている位置からユーザデータの記録を開始し、該記録されたユーザデータの終端部に新たな中間マーカ１０８が記録される。このため、中間マーカ１０８は、記録されたユーザデータの終端部を示すと共に、次にユーザデータを記録するエリア部分をも示している。中間マーカ１０８には、リードアウトエリア属性が付与されながら、必要に応じて所定のデータが記録される。図３（ｂ）に示す光ディスク１００の状態を、“中間状態”と称する。
【００５６】
中間マーカ１０８は、例えば記録されたユーザデータの終端部を検出するために用いられる。具体的には、レーザ光を照射しながら中間マーカ１０８付近をシークすることで、エリア属性の違いに基づいて、中間マーカ１０８と既に記録されているユーザデータとの境界を好適に認識することができる。特に、記録されたユーザデータの終端部のアドレス（ＬＲＡ：Last Recorded Address）が記録されているＲＭＤ（Recording Management Data：記録管理データ）がディフェクト等に起因して読み取ることができなかった場合に、中間マーカを利用して、ＲＭＤの内容を復旧することができる。或いは、ＲＭＤの内容は必ずしもリアルタイムに更新されるとか限らないため、中間マーカ１０８を利用すれば、既に記録されているユーザデータの終端部を高精度に認識することができる。
【００５７】
尚、ホストコンピュータ等から要求されるフォーマットサイズは“０”であってもよい。この場合、データエリア属性が付与されながらリードインエリア１０２に記録されたデータに隣接するように、中間マーカ１０８が形成される。
【００５８】
クイックフォーマット処理を施すことで、データエリア属性が付与されたデータエリア１０５の一部の記録領域に、ユーザデータをランダムに上書き記録することができる。より具体的には、ユーザデータが記録されていない記録領域（言い換えれば、何の属性も付与されていない記録領域）においては、ユーザデータをシーケンシャルに（言い換えれば、Ｌ０層であれば内周側から外周側に向かって連続的に、Ｌ１層であれば外周側から内周側に向かって連続的に）記録する必要がある。つまり、次にユーザデータを記録可能な記録領域を示すＮＷＡ（Next Writable Address）が、ユーザデータが記録されていない記録領域の先頭部分を示しているため、ＮＷＡよりも外周側の記録領域においては、ＮＷＡが示す記録領域から順に（即ち、シーケンシャルに）ユーザデータを記録する必要がある。尚、ＮＷＡが示す位置は、中間マーカ１０８の始端部（具体的には、Ｌ０層であれば内周側の端部であり、Ｌ１層であれば外周側の端部）と一致し得る。しかしながら、ＮＷＡが示す位置よりも内周側に位置するデータエリア属性が付与された記録領域においては、所望の位置に（即ち、ランダムに）ユーザデータを記録することができる。このように、クイックフォーマット処理は、ＮＷＡを更新して、ユーザデータを記録可能な記録領域を拡大する機能も有しているとも言える。
【００５９】
そして、クイックフォーマット処理が施された光ディスク１００は、通常フォーマット処理が行われた場合と違って、リードインエリア１０２やリードアウトエリア１１８等に、必要なデータが全て記録されていない。従って、クイックフォーマット処理を施した後には、更にファイナライズ処理（或いは、クローズ処理）が施されることで、光ディスク１００上のデータの記録の態様に応じた各種管理情報ないしは各種制御情報が、リードインエリア１０２やリードアウトエリア１１８等に記録される。更に、記録されたユーザデータに続いてシフテッドミドルエリア１０６（１１６）や固定ミドルエリア１０９（１１９）が形成されると共に、リードインエリア１０２とシフテッドミドルエリア１０６（ないしは、固定ミドルエリア１０９）との間の未記録エリア及びリードアウトエリア１０２とシフテッドミドルエリア１１６（ないしは、固定ミドルエリア１１９）との間の未記録エリアに、例えば“００ｈ”データ等のパディングデータが記録される。これにより、本実施例に係る光ディスク１００を、再生専用型の情報再生装置において再生することができる。
【００６０】
尚、光ディスク１００に記録するデータのサイズによっては、Ｌ０層に記録されるデータのサイズと、Ｌ１層に記録されるデータのサイズとが同一にならない場合があり得る。具体的には、例えばＬ０層の内周側から外周側に向かってｘＧＢのデータが記録され、レイヤージャンプした後に、Ｌ１層の外周側から内周側に向かってｘ／２ＭＢのデータが記録される場合があり得る。この場合、データが既に記録されているＬ０層の記録領域に対向するＬ１層には、データが記録されていない記録領域が存在している。他方で、データを安定的に再生するという観点からは、データが既に記録されているＬ０層の記録領域に対向するＬ１層の記録領域には、何らかのデータが記録されている（言い換えれば、ミラー状態でない）必要がある。従って、データが既に記録されているＬ０層の記録領域に対向し、且つデータが記録されていないＬ１層の記録領域には、データエリア属性を付与しながら所定のデータを記録する必要がある。或いは、データが既に記録されているＬ０層の記録領域に対向し、且つデータが記録されていないＬ１層の記録領域には、リードアウトエリア属性を付与しながら所定のデータ（即ち、パディングデータ等）を記録するように構成してもよい。
【００６１】
また、図３（ａ）に示すコンプリート状態の光ディスク１００に対して、シフテッドミドルエリア１０６（１１６）等にデータエリア属性を付与しながら所定のユーザデータを記録するクイックフォーマット処理を施せば、一旦コンプリート状態になった光ディスク１００に再度ユーザデータを記録することができる。このように、コンプリート状態になった光ディスク１００に再度ユーザデータを記録するために施すクイックフォーマット処理を、クイックグローフォーマット処理とも称することができる。
【００６２】
図４に示すように、データが記録されていないブランクな光ディスク１００に対して通常フォーマット処理を施すことで、光ディスク１００の状態を、図３（ａ）に示すコンプリート状態に遷移させることができる。同様に、新しい光ディスク１００に対してクイックフォーマット処理を施すことで、光ディスク１００の状態を、図３（ｂ）に示す中間状態に遷移させることができる。
【００６３】
コンプリート状態に遷移した光ディスク１００に通常フォーマット処理を施すことで、光ディスク１００の状態を、図３（ａ）に示すコンプリート状態のまま維持することができる。また、コンプリート状態に遷移した光ディスク１００にクイックフォーマット処理（言い換えれば、クイックグローフォーマット処理）を施すことで、光ディスク１００の状態を、図３（ｂ）に示す中間状態に遷移させることができる。
【００６４】
中間状態に遷移した光ディスク１００にクイックフォーマット処理を施すことで、光ディスク１００の状態を、図３（ｂ）に示す中間状態のまま維持することができる。また、中間状態に遷移した光ディスク１００に通常フォーマット処理を施すことで、光ディスク１００の状態を、図３（ｂ）に示すコンプリート状態に遷移させることができる。
【００６５】
続いて、図５を参照して、データが記録される際に付与される属性について具体的に説明する。ここに、図５は、データが記録される際に付与される属性に関連するデータ構造を概念的に示すデータ構造図である。
【００６６】
属性は、２４１８バイトのサイズを有する物理セクタ毎に、当該物理セクタに記録されるデータに応じて、付与される。一つの物理セクタは、５２バイトのサイズを有するシンク（ＳＹＮＣ）コードと、３０２バイトのサイズを有するＥＣＣ（Error Correction Code）と、２０４８バイトのサイズを有するデータと、４バイトのサイズを有するデータＩＤと、２バイトのサイズを有するＩＥＤと、６バイトのサイズを有するＣＰＲ＿ＭＡＩと、４バイトのサイズを有するＥＤＣとにより構成される。そして、属性は、データＩＤ中に記録される。
【００６７】
具体的には、図５に示すように、４バイトのサイズを有するデータＩＤは、１バイトのサイズを有するセクタ情報（Sector Information）と、３バイトのサイズを有するセクタ番号（Sector Number）とを含んでいる。
【００６８】
１バイトのサイズを有するセクタ情報は、１ビットのサイズを有するセクタフォーマットタイプ（Sector Format Type）と、１ビットのサイズを有するトラッキング方法（Tracking Method）と、１ビットのサイズを有する反射率（Reflectivity）と、１ビットのサイズを有するリザーブドエリア（Reserved Area）と、属性を示す２ビットのサイズを有するエリアタイプ（Area type）と、１ビットのサイズを有するデータタイプ（Data Type）と、１ビットのサイズを有するレイヤー番号（Layer Number）とを含んでいる。
【００６９】
エリアタイプは、当該エリアタイプを含む物理セクタの属性を示している。具体的には、例えば、“００ｂ”が記録されていれば、物理セクタがデータエリア属性であることを示し、“０１ｂ”が記録されていれば、物理セクタがリードインエリア属性であることを示し、“１０ｂ”が記録されていれば、物理セクタがリードアウトエリア属性であることを示し、“１１ｂ”が記録されていれば、物理セクタがミドルエリア属性であることを示す。
【００７０】
（情報記録再生装置）
（１）  基本構成
続いて、図６を参照して、本発明の情報記録装置に係る実施例としての情報記録再生装置２００について説明する。ここに、図６は、本実施例に係る情報記録再生装置２００の基本的な構成を概念的に示すブロック図である。尚、情報記録再生装置２００は、光ディスク１００にデータを記録する機能と、光ディスク１００に記録されたデータを再生する機能とを備える。
【００７１】
図６に示すように、情報記録再生装置２００は、実際に光ディスク１００がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。
【００７２】
ディスクドライブ３００は、光ディスク１００、スピンドルモータ３５１、光ピックアップ３５２、信号記録再生手段３５３、ＣＰＵ（ドライブ制御手段）３５４、メモリ３５５データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。
【００７３】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。
【００７４】
光ピックアップ３５２は、光ディスク１００への記録再生を行うために、例えば図示しない半導体レーザ素子と、コリメータレンズ及び対物レンズ等から構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。
【００７５】
信号記録再生手段３５３は、光ピックアップ３５２と共に本発明における「第１記録手段」及び「第２記録手段」の一具体例を構成しており、ＣＰＵ３５４の制御を受けながらスピンドルモータ３５１と光ピックアップ３５２を制御することで、光ディスク１００に対して記録再生を行う。より具体的には、信号記録再生手段３５３は、例えば、レーザダイオードドライバ（ＬＤドライバ）及びヘッドアンプ等によって構成されている。レーザダイオードドライバは、例えば駆動パルスを生成し、光ピックアップ３５２内に設けられた半導体レーザ素子１１１を駆動する。ヘッドアンプは、光ピックアップ３５２の出力信号、即ち、光ビームの反射光を増幅し、該増幅した信号を出力する。
【００７６】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。
【００７７】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。
【００７８】
データ入出力制御手段３０６は、ディスクドライブ３００に対する外部からのデータ入出力を制御し、メモリ３５５上のデータバッファへの格納及び取り出しを行う。ディスクドライブ３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。
【００７９】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、ディスクドライブ３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。
【００８０】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。
【００８１】
以上説明した、ディスクドライブ３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、ディスクドライブ３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブ３００を制御する。
【００８２】
（２）  動作原理
続いて、図７から図１１を参照して、本実施例に係る情報記録再生装置２００の動作原理について説明する。ここに、図７は、本実施例に係る情報記録再生装置２００の動作によりデータが記録される一の過程を、光ディスク１００のエリア構造と対応付けて概念的に示す説明図であり、図８は、本実施例に係る情報記録再生装置２００の動作によりデータが記録される他の過程を、光ディスク１００のエリア構造と対応付けて概念的に示す説明図であり、図９は、本実施例に係る情報記録再生装置２００の動作によりデータが記録される他の過程を、光ディスク１００のエリア構造と対応付けて概念的に示す説明図であり、図１０は、本実施例に係る情報記録再生装置２００の動作によりデータが記録される他の過程を、光ディスク１００のエリア構造と対応付けて概念的に示す説明図であり、図１１は、比較例に係る情報記録再生装置の動作によりデータが記録される一の過程を、光ディスク１００のエリア構造と対応付けて概念的に示す説明図であり、図１１は、比較例に係る情報記録再生装置の動作によりデータが記録される他の過程を、光ディスク１００のエリア構造と対応付けて概念的に示す説明図である。
【００８３】
図７に示すように、ホストコンピュータ４００等から要求されたフォーマットサイズが“０”である場合には、本発明における「フォーマット手段」の一具体例を構成するＣＰＵ３５４或いはＣＰＵ３５９の制御の下にクイックフォーマット処理が施されることで、リードインエリア１０２に隣接するように、中間マーカ１０８ａが記録される。以降、図７に示す光ディスク１００に対して、ユーザデータが記録される態様について説明を進める。
【００８４】
図８に示すように、データエリア１０５に所定のサイズのユーザデータが記録される。このとき、リードインエリア１０２に隣接するように記録された中間マーカ１０８ａの始端部（ここでは、中間マーカ１０８ａがＬ０層に記録されているため、始端部は内周側の端部となる）を起点として、ユーザデータの記録が開始される。その後、記録されたユーザデータの終端部（ここでは、ユーザデータがＬ０層に記録されているため、終端部は外周側の端部となる）に続けて、新たな中間マーカ１０８ｂが記録される。
【００８５】
図９に示すように、図８に示す光ディスク１００に対して更にユーザデータが記録される場合には、図８の状態において記録された中間マーカ１０８ｂの始端部を起点として、ユーザデータの記録が開始される。そして、Ｌ０層のデータエリア１０５内のレイヤージャンプアドレスにより示されるエリア部分までユーザデータが記録された場合には、情報記録再生装置２００は、レイヤージャンプを行う。尚、レイヤージャンプアドレスは、例えばＣＰＵ３５４或いはＣＰＵ３５９の制御の下に適宜設定されてもよいし、ユーザの指示により適宜設定されてもよいし、或いは予めデフォールトのアドレスが設定されていてもよい。その結果、Ｌ０層のデータエリア１０５内のレイヤージャンプアドレスにより示されるエリア部分に概ね対向するＬ１層のデータエリア１１５のエリア部分から、内周側に向かってユーザデータの記録が継続される。その後、記録されたユーザデータの終端部（ここでは、ユーザデータがＬ１層に記録されているため、終端部は内周側の端部となる）に続けて、新たな中間マーカ１０８ｃが記録される。
【００８６】
図１０に示すように、図９に示す光ディスク１００に対してクイックフォーマット処理が施される場合には、ホストコンピュータ４００等から要求されたフォーマットサイズに応じて、データエリア１０５に、データエリア属性を付与しながら所定のユーザデータが記録される。その後、記録されたユーザデータの終端部に続けて、新たな中間マーカ１０８ｄが記録される。
【００８７】
本実施例では特に、クイックフォーマット処理が施された場合には、クイックフォーマット処理が施されるまでに利用されていた中間マーカ１０８ｃが記録されているエリア部分には、本発明における「消去手段」の一具体例を構成するＣＰＵ３５４或いはＣＰＵ３５９の制御の下に、データエリア属性を付与しながら所定のユーザデータが記録される。言い換えれば、中間マーカ１０８ｃが記録されていたエリア部分には、データエリア属性を有するユーザデータが上書き記録され、その結果、中間マーカ１０８ｃが消去される。
【００８８】
このため、光ディスク１００には、クイックフォーマット処理が施された後に記録されるユーザデータを対象とした新たな中間マーカ１０８が（即ち、図１０における中間マーカ１０８ｄが）記録されている。つまり、クイックフォーマット処理が施される前に記録されていた古い（或いは、クイックフォーマット処理後には無効となる）中間マーカ１０８（即ち、図９における中間マーカ１０８ｃ）と、クイックフォーマット処理が施された後に記録される最新の中間マーカ１０８（即ち、図１０における中間マーカ１０８ｄ）とが、光ディスク１００上に同時に存在することはない。このため、本実施例に係る情報記録再生装置２００は、光ディスク１００上に記録されている中間マーカ１０８が最新の中間マーカである（つまり、クイックフォーマット処理の後に新たに記録される中間マーカ１０８ｄであって、クイックフォーマット処理が行われることで無効となる古い中間マーカ１０８ｃではない）ことを好適に認識することができる。
【００８９】
ここで、本実施例の比較例として、仮に、クイックフォーマット処理を施す際に、クイックフォーマット処理が施される前に記録されていた古い中間マーカ１０８を消去しないと仮定する。この場合、図１１に示すように、クイックフォーマット処理が施される前に記録されていた古い中間マーカ１０８ｃと、クイックフォーマット処理が施された後に記録される最新の中間マーカ１０８ｄとが、光ディスク１００上に同時に存在する。
【００９０】
図１２に示すように、図１１に示す光ディスク１００に対して更にユーザデータが記録される場合には、Ｌ０層のデータエリア１０５内のレイヤージャンプアドレスにより示されるエリア部分までユーザデータが記録され、Ｌ０層のデータエリア１０５内のレイヤージャンプアドレスにより示されるエリア部分に概ね対向するＬ１層のデータエリア１１５のエリア部分から、内周側に向かってユーザデータが記録される。その後、記録されたユーザデータの終端部（ここでは、ユーザデータがＬ１層に記録されているため、終端部は内周側の端部となる）に続けて、新たな中間マーカ１０８ｅが記録される。
【００９１】
仮に、図１２に示す状態の光ディスク１００に対して、上述の如く中間マーカ１０８と既に記録されているユーザデータエリアとの境界を検出しようとすると、境界が２箇所検出される。しかしながら、情報記録再生装置２００は、いずれの境界が正しい境界を示しているのか、即ちいずれの中間マーカ１０８が最新の中間マーカ１０８であるかを情報記録再生装置２００が判断することは困難或いは不可能である。つまり、単純にＬ０層の内周側の端部から外周側に向かってシークし、且つＬ０層の外周側の端部でレイヤージャンプをした後にＬ１層の外周側の端部から内周側に向かってシークをするとすれば、必ずしも１番初めに検出された中間マーカ（即ち、図１２における中間マーカ１０８ｃ）が最新であるとは限らない。他の態様でシークする場合も同様に、必ずしも１番初めに検出された中間マーカが最新であるとは限らない。このため、特にＲＭＤ等が読み取ることができなくなった場合には、ＲＭＤの内容を復旧させることができなくなる。
【００９２】
しかるに、本実施例によれば、クイックフォーマット処理が施される前に記録されていた古い中間マーカ１０８と、クイックフォーマット処理が施された後に記録される最新の中間マーカ１０８とが、光ディスク１００上に同時に存在することがないため、光ディスク１００上に記録されている中間マーカ１０８が最新の中間マーカであることを好適に認識することができる。このため、光ディスク１００上に記録される中間マーカ１０８は、記録済みのユーザデータの終端部を好適に示すことができる。これにより、例えば中間マーカ１０８を利用して、記録済みのユーザデータの終端部を好適に認識することができる。
【００９３】
特に、中間マーカ１０８が記録済みのユーザデータの終端部を好適に示していることから、ＲＭＤがディフェクト等に起因して読み取ることができなくなったときにも、ＲＭＤの内容（より具体的には、ＬＲＡ等）を確実に復旧することができるという大きな利点を享受することができる。
【００９４】
尚、上述の実施例では、２層型の光ディスク１００を用いて説明を進めたが、２層型の光ディスク１００に限らず、３つ以上の記録層を有する光ディスクであっても、上述した各種構成を採用することで、上述した各種利益を享受することができる。或いは、１つの記録層を有する１層型の光ディスクであっても、上述した各種構成を採用することで、上述した各種利益を相応に享受することができる。
【００９５】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。
【００９６】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法、並びにコンピュータプログラムもまた本発明の技術的範囲に含まれるものである。
【図面の簡単な説明】
【００９７】
【図１】本実施例に係る光ディスクの基本構造を示した概略平面図であり、該光ディスクの概略断面図と、これに対応付けられた、その半径方向における記録領域構造の図式的概念図である。
【図２】光ディスクの概略断面図と、これに対応付けられた、その半径方向における記録領域構造の図式的概念図である。
【図３】通常フォーマット処理が施された後の光ディスク１００のデータ構造を概念的に示す説明図、及びクイックフォーマット処理が施された後の光ディスク１００のデータ構造を概念的に示す説明図である。
【図４】光ディスクの状態の遷移を概念的に示す図である。
【図５】データが記録される際に付与される属性に関連するデータ構造を概念的に示すデータ構造図である。
【図６】本実施例に係る情報記録再生装置の基本的な構成を概念的に示すブロック図である。
【図７】本実施例に係る情報記録再生装置の動作によりデータが記録される一の過程を、光ディスクのエリア構造と対応付けて概念的に示す説明図である。
【図８】本実施例に係る情報記録再生装置の動作によりデータが記録される他の過程を、光ディスクのエリア構造と対応付けて概念的に示す説明図である。
【図９】本実施例に係る情報記録再生装置の動作によりデータが記録される他の過程を、光ディスクのエリア構造と対応付けて概念的に示す説明図である。
【図１０】本実施例に係る情報記録再生装置の動作によりデータが記録される他の過程を、光ディスクのエリア構造と対応付けて概念的に示す説明図である。
【図１１】比較例に係る情報記録再生装置の動作によりデータが記録される一の過程を、光ディスクのエリア構造と対応付けて概念的に示す説明図である。
【図１２】比較例に係る情報記録再生装置の動作によりデータが記録される他の過程を、光ディスクのエリア構造と対応付けて概念的に示す説明図である。
【符号の説明】
【００９８】
１００  光ディスク
１０２  リードインエリア
１０５、１１５  データエリア
１０６、１１６  シフテッドミドルエリア
１０８  中間マーカ
１０９、１１９  固定ミドルエリア
１１８  リードアウトエリア
２００  情報記録再生装置
３００  ディスクドライブ
３５２  光ピックアップ
３５３  信号記録再生手段
３５４、３５９  ＣＰＵ
４００  ホストコンピュータ
【図１】
2007193881.tif 000003
【図２】
2007193881.tif 000004
【図３】
2007193881.tif 000005
【図４】
2007193881.tif 000006
【図５】
2007193881.tif 000007
【図６】
2007193881.tif 000008
【図７】
2007193881.tif 000009
【図８】
2007193881.tif 000010
【図９】
2007193881.tif 000011
【図１０】
2007193881.tif 000012
【図１１】
2007193881.tif 000013
【図１２】
2007193881.tif 000014